(57)【要約】【目的】一つのＤ／Ａ変換器で各種の映像フォーマットのディジタル映像を最適にアナログ映像信号化して出力することができる映像処理装置を提供する。【構成】Ｄ／Ａコンバータ２を経て得られるアナログ信号がローパスフィルタ回路３に供給される。ローパスフィルタ回路３には複数のローパスフィルタ３ａ，３ｂ，３ｃ及びこれらのなかから一つを選択するためのスイッチ３１が備えられている。ローパスフィルタ３ａ，３ｂ，３ｃの特性は互いに異なっており、その処理対象解像度映像（処理対象映像フォーマット）における信号に対して最適となるようにしている。映像フォーマット識別部４は映像データのフォーマット判定結果により前記スイッチ３１を動作させ、ローパスフィルタ回路３において最適なローパスフィルタを選択させる。【選択図】　　　　　　　　図１
2004134887.tif 000002
【特許請求の範囲】
【請求項１】
映像データをアナログ映像信号に変換するＤ／Ａ変換器を備えた映像処理装置において、前記Ｄ／Ａ変換器から出力されたアナログ映像信号を入力するフィルタ手段と、処理対象とされる映像データの映像フォーマットを判別する判別手段と、を備え、前記フィルタ手段は各映像フォーマットに対応した複数のローパスフィルタから成り、映像フォーマット判別結果に基づいてローパスフィルタを選択するように構成されたことを特徴とする映像処理装置。
【請求項２】
映像データをアナログ映像信号に変換するＤ／Ａ変換器を備えた映像処理装置において、前記Ｄ／Ａ変換器から出力されたアナログ映像信号を入力するフィルタ手段と、処理対象とされる映像データの映像フォーマットを判別する判別手段と、を備え、前記フィルタ手段は各映像フォーマットに対応した特性を選択発揮する可変特性ローパスフィルタから成り、映像フォーマット判別結果に基づいてローパスフィルタ特性を選択するように構成されたことを特徴とする映像処理装置。
【請求項３】
請求項１又は請求項２に記載の映像処理装置において、前記判別手段は垂直同期信号とピクセルクロックとに基づいて映像フォーマットを判別するように構成されたことを特徴とする映像処理装置。
【発明の詳細な説明】
【０００１】
【産業上の利用分野】
この発明は、各種フォーマットの映像データについてアナログ映像信号化を行う映像処理装置に関する。
【０００２】
【従来の技術】
ディジタル放送受信機などの映像処理装置では、放送波に載せられた各種フォーマットのディジタル映像や外部装置から入力される各種フォーマットのディジタル映像に対して処理を行い、アナログ映像信号化（Ｙ，Ｃｂ，Ｃｒ等のコンポーネント信号、或いは、ＮＴＳＣ等のコンポジット信号）して表示することが求められる。ディジタル映像をアナログ映像信号に変換するＤ／Ａ変換器は、ディジタル信号が示す値に対応した振幅のインパルスの生成と、このインパルス間を埋めるステップパルス化と、不要周波数成分の除去処理とを行うことでアナログ映像信号を生成するものであり、その特性は一意的に決定されるものとなる。
【０００３】
【発明が解決しようとする課題】
しかしながら、前述のごとく各種の映像フォーマットに対応するために、フォーマット毎にＤ／Ａ変換器を持つこととする場合には、装置のシステム規模が大きくなってしまう。一方、一つのＤ／Ａ変換器で対応しようとすれば、その特性に合わせてフォーマット変換を施すことになり、画質の劣化が生じてしまうという不満がある。
【０００４】
この発明は、上記の事情に鑑み、画質の劣化が生じるようなフォーマット変換を施さずに、一つのＤ／Ａ変換器で各種の映像フォーマットのディジタル映像を最適にアナログ映像信号化して出力することができる映像処理装置を提供することを目的とする。
【０００５】
【課題を解決するための手段】
この発明の映像処理装置は、上記課題を解決するために、映像データをアナログ映像信号に変換するＤ／Ａ変換器を備えた映像処理装置において、前記Ｄ／Ａ変換器から出力されたアナログ映像信号を入力するフィルタ手段と、処理対象とされる映像データの映像フォーマットを判別する判別手段と、を備え、前記フィルタ手段は各映像フォーマットに対応した複数のローパスフィルタから成り、映像フォーマット判別結果に基づいてローパスフィルタを選択するように構成されたことを特徴とする。
【０００６】
上記の構成であれば、処理対象とされる映像データの映像フォーマットに合ったローパスフィルタが選択され、このローパスフィルタにＤ／Ａ変換器から出力されたアナログ映像信号が通されるから、画質の劣化が生じるようなフォーマット変換を施すことなく、一つのＤ／Ａ変換器で各種の映像フォーマットのディジタル映像を最適にアナログ映像信号化して出力することができる。
【０００７】
また、この発明の映像処理装置は、映像データをアナログ映像信号に変換するＤ／Ａ変換器を備えた映像処理装置において、前記Ｄ／Ａ変換器から出力されたアナログ映像信号を入力するフィルタ手段と、処理対象とされる映像データの映像フォーマットを判別する判別手段と、を備え、前記フィルタ手段は各映像フォーマットに対応した特性を選択できる可変特性ローパスフィルタから成り、映像フォーマット判別結果に基づいてローパスフィルタ特性を選択するように構成されたことを特徴とする。
【０００８】
上記の構成であれば、処理対象とされる映像データの映像フォーマットに合うようにローパスフィルタの特性が切り替えられることになり、このローパスフィルタにＤ／Ａ変換器から出力されたアナログ映像信号が通されるから、画質の劣化が生じるようなフォーマット変換を施すことなく、一つのＤ／Ａ変換器で各種の映像フォーマットのディジタル映像を最適にアナログ映像信号化して出力することができる。
【０００９】
前記判別手段は垂直同期信号及び水平同期信号とピクセルクロックとに基づいて映像フォーマットを判別するように構成されていてもよい。
【００１０】
【発明の実施の形態】
以下、この発明の実施形態を図１及び図２に基づいて説明する。図１は第１構成の映像処理装置を示したブロック図であり、図２は第２構成の映像処理装置を示したブロック図である。この映像処理装置は例えばディジタル放送受信装置などに組み込まれて利用される。
【００１１】
まず、図１に基づいて第１構成の映像処理装置について説明していく。
【００１２】
ディジタル処理部１を経た映像データがＤ／Ａコンバータ２に供給され、このＤ／Ａコンバータ２を経て得られるアナログ映像信号がローパスフィルタ回路３に供給される。このローパスフィルタ回路３には複数のローパスフィルタ３ａ，３ｂ，３ｃ及びこれらのなかから一つを選択するためのスイッチ３１が備えられている。ローパスフィルタ３ａ，３ｂ，３ｃの特性は互いに異なっている。例えば、ローパスフィルタ３ａは高解像度の映像データがＤ／Ａコンバータ２を経た場合に得られるアナログ映像信号に対して適正な特性を有しており、ローパスフィルタ３ｃは低解像度の映像データがＤ／Ａコンバータ２を経た場合に得られるアナログ映像信号に対して適正な特性を有している。具体的には各ローパスフィルタのカットオフ周波数は、その処理対象解像度映像（処理対象映像フォーマット）における輝度信号に対してはピクセルクロックの１／２、色差信号に対してはピクセルクロックの１／４となるように設定されている。
【００１３】
映像フォーマット識別部４は、ディジタル処理部１で処理される映像データのフォーマットを判断する。この判断は、例えば、垂直期間内にＤ／Ａ変換のためのクロックをカウントしてピクセルクロック周波数を判定し、この判定結果からら映像フォーマットを判定する構成を採用できる。また、例えば、ディジタル処理部最終段（Ｄ／Ａ変換直前）のＩＣから専用出力ポートを設けてフォーマット識別信号を出力させる構成を採用することもできる。そして、映像フォーマット識別部４は、映像フォーマットの判定結果により前記スイッチ３１を動作させ、ローパスフィルタ回路３において最適なローパスフィルタを選択させる。
【００１４】
次に、図２に基づいて第２構成の映像処理装置について説明していく。
【００１５】
この映像処理装置は、図示しないＤ／Ａコンバータの後段に特性固定ローパスフィルタ５と特性可変ローパスフィルタ６とを直列に備えている。特性可変ローパスフィルタ６は、ＲＣフィルタ部６Ａ・６Ｂを２段に接続して成る。ＲＣフィルタ部６Ａは、抵抗Ｒ１と複数のコンデンサＣ１，Ｃ２，Ｃ３とスイッチＳ１とを備える。また、ＲＣフィルタ部６Ｂは、抵抗Ｒ２と複数のコンデンサＣ４，Ｃ５，Ｃ６とスイッチＳ２とを備える。ＲＣフィルタ部６Ａ・６Ｂは、スイッチＳ１・Ｓ２によりどのコンデンサが選択されるかでそのカットオフ特性が変化することになる。カットオフ周波数は、その処理対象解像度映像（処理対象映像フォーマット）における輝度信号に対してはピクセルクロックの１／２、色差信号に対してはピクセルクロックの１／４となるように設定されている。映像フォーマット識別部４は、映像データのフォーマットを判断する。この判断方法は、先述したのと同様である。映像フォーマット識別部４は、映像フォーマットの判定結果により前記スイッチＳ１・Ｓ２を動作させ、ＲＣフィルタ部６Ａ・６Ｂにおいて最適なフィルタ特性を発揮させる。２段のＲＣフィルタ部６Ａ・６Ｂとしたことにより、カットオフ特性が良好になっている。
【００１６】
以上説明したように、図１の構成であれば、処理対象とされた映像データの映像フォーマットに合ったローパスフィルタが選択され、このローパスフィルタにＤ／Ａコンバータから出力されたアナログ映像信号が通されることになり、また、図２の構成であれば、処理対象とされた映像データの映像フォーマットに合うようにローパスフィルタの特性が切り替えられ、このローパスフィルタにＤ／Ａコンバータから出力されたアナログ映像信号が通されることになるから、画質の劣化が生じるようなフォーマット変換を施すことなく、一つのＤ／Ａコンバータで各種の映像フォーマットのディジタル映像を最適にアナログ映像信号化して出力することができる。
【００１７】
【発明の効果】
以上説明したように、この発明によれば、画質の劣化が生じるようなフォーマット変換を施すことなく、一つのＤ／Ａ変換器で各種の映像フォーマットのディジタル映像を最適にアナログ映像信号化して出力することができるという効果を奏する。
【図面の簡単な説明】
【図１】この発明の実施形態の第１構成の映像処理装置を示したブロック図である。
【図２】この発明の実施形態の第２構成の映像処理装置を示したブロック図である。
【符号の説明】
１　　ディジタル処理部
２　　Ｄ／Ａコンバータ
３　　ローパスフィルタ回路
４　　映像フォーマット識別部
５　　特性固定ローパスフィルタ
６　　特性可変ローパスフィルタ
【図１】
2004134887.tif 000003
【図２】
2004134887.tif 000004